(57)【特許請求の範囲】
【請求項１】
タイムコードが記録され標準記録および間欠記録された記録媒体を再生することにより、記録媒体に記録されている映像信号の間欠記録間隔値を求め、
現在再生している記録媒体のタイムコードデータと、外部から入力された検索する位置のタイムコード検索位置データとを演算することにより、検索位置までのタイムコード値の差を求め、このタイムコード値の差および上記すでに求めた間欠記録間隔値により、標準記録された時のタイムコード値の差に変換した標準記録時間値を求め、
上記方法により算出された標準記録時間値と、現在再生している記録媒体のＣＴＬデータとを演算することにより、ＣＴＬデータに変換した検索位置、ＣＴＬ検索値を算出し、
タイムコード検索において、検索位置までの検索をタイムコード検索からＣＴＬ検索に置き換えて実施することを特徴とする磁気記録再生方法。
【請求項２】
タイムコードが記録された標準記録および間欠記録された記録媒体を再生することにより、記録媒体に記録されている映像信号の間欠記録間隔値を求める間欠記録時間演算部と、
現在再生している記録媒体のタイムコードデータと、外部から入力された検索する位置のタイムコード検索位置データとを演算することにより、検索位置までのタイムコード値の差を求め、このタイムコード値の差および上記すでに求めた間欠記録間隔値により、標準記録された時のタイムコード値の差に変換した標準記録時間値を算出する標準記録時間演算部と、
上記算出された標準記録時間値と、現在再生している記録媒体のＣＴＬデータとを演算することにより、ＣＴＬデータに変換した検索位置、ＣＴＬ検索値を算出する目標位置演算部とを備え、
タイムコード検索において、検索位置までの検索をタイムコード検索からＣＴＬ検索に置き換えて実施するよう構成したことを特徴とする磁気記録再生装置。
【発明の詳細な説明】
【０００１】
【発明の属する技術分野】
タイムコード検索のために要した時間を短縮させることのできる磁気記録再生方法およびその装置に関する。
【０００２】
【従来の技術】
間欠記録再生できる磁気記録再生装置において、記録時に設定された間欠記録時間に応じて、さまざまな間欠記録時間で記録されたテープが存在する。それらのテープを再生し、見たい場面を検索する手段としては、タイムコードの値を再生もしくは早送り／巻戻し再生しながら検索する必要があり、検索時間をかなり要した。
【０００３】
図５は従来の磁気記録再生装置のブロック図である。
１は磁気記録再生装置の動作を制御するためのシステムコントロール部、２は外部から入力されたタイムコード検索位置データＣと現在のタイムコードデータＢを比較し、検索動作のための制御信号Ａをシステムコントロール部１に送る働きをする目標位置検索制御部、３はタイムコード値を読み出し、目標位置検索制御部２に送信する働きをするタイムコード制御部である。
【０００４】
Ａは磁気記録再生装置の動作を制御するための制御信号であり、タイムコードデータＢは月日時分秒の含まれるタイムコードのデータであり、タイムコード検索位置データＣは月日および時分秒の含まれるタイムコードの検索位置データである。
【０００５】
以上のように構成された従来の磁気記録再生装置について、以下その動作を説明する。目標位置検索制御部２は、タイムコード検索位置データＣが外部より入力されると、タイムコード制御部３が読み出したタイムコードデータＢと比較することで、検索位置迄の適当な制御信号Ａをシステムコントロール部１に送信する。システムコントロール部１は、目標位置検索制御部２の制御信号Ａに従い磁気記録再生装置の動作を制御することで、記録媒体上のタイムコード検索位置データＣと一致する場所を探し出す。
【０００６】
【発明が解決しようとする課題】
しかしながら、上記のように構成された従来の磁気記録再生装置では、記録媒体のタイムコードデータを読み出しながらでないと目標位置を検索できなかったため、検索時間をかなり要するという問題点を有していた。
【０００７】
本発明は、上記問題を解決するもので、タイムコード検索において、検索位置までの検査をタイムコード検索からＣＴＬ検索に置き換えて実施することを可能にして、検索時間を短縮させることを目的とする。
【０００８】
【課題を解決するための手段】
本発明は上記目的を達成するために、タイムコードが記録され標準記録および間欠記録された記録媒体を再生した時にタイムコード制御部から読み出されるタイムコードより、記録媒体に記録されている映像信号の間欠記録間隔を算出し、タイムコード制御部が読み出すタイムコードデータと、外部から入力されたタイムコード検索位置データとを演算することにより、検索位置までのタイムコード値の差を求め、このタイムコード値の差およびすでに求めた間欠記録間隔とにより、標準記録された時のタイムコード値の差に変換した標準記録時間を求め、上記方法により算出された標準記録時間での検索位置までのタイムコード値の差と、現在再生している記録媒体のＣＴＬカウンターデータとを演算することにより、ＣＴＬカウンターデータとして検索位置を算出し、この算出された検索位置の値とシステムコントロール部からのＣＴＬカウンターデータを比較することにより、検索位置迄の磁気記録再生装置動作を制御するための制御信号をシステムコントロール部に送信するようにしたものであり、これにより、検索位置までの検索をタイムコード検索からＣＴＬ検索に置き換えて実施することが可能となり、検索時間を短縮させることができる。
【０００９】
【発明の実施の形態】
本発明の請求項１に記載された発明は、タイムコードが記録され標準記録および間欠記録された記録媒体を再生することにより、記録媒体に記録されている映像信号の間欠記録間隔値を求め、現在再生している記録媒体のタイムコードデータと、外部から入力された検索する位置のタイムコード検索位置データとを演算することにより、検索位置までのタイムコード値の差を求め、このタイムコード値の差およびすでに求めた間欠記録間隔値により、標準記録された時のタイムコード値の差に変換した標準記録時間値を求め、上記方法により算出された標準記録時間値と、現在再生している記録媒体のＣＴＬデータとを演算することにより、ＣＴＬデータに変換した検索位置、ＣＴＬ検索値を算出し、タイムコード検索において、検索位置までの検索をタイムコード検索からＣＴＬ検索に置き換えて実施することにより、検索時間を短縮させることを可能にしたことを特徴とする磁気記録再生方法である。
【００１０】
本発明の請求項２に記載された発明は、タイムコードが記録され標準記録および間欠記録された記録媒体を再生することにより、記録媒体に記録されている映像信号の間欠記録間隔値を求める間欠記録時間演算部と、現在再生している記録媒体のタイムコードデータと、外部から入力された検索する位置のタイムコード検索位置データとを演算することにより、検索位置までのタイムコード値の差を求め、このタイムコード値の差およびすでに求めた間欠記録間隔値により、標準記録された時のタイムコード値の差に変換した標準記録時間値を算出する標準記録時間演算部と、上記算出された標準記録時間値と、現在再生している記録媒体のＣＴＬデータとを演算することにより、ＣＴＬデータに変換した検索位置、ＣＴＬ検索値を算出する目標位置演算部を備え、タイムコード検索において、検索位置までの検索をタイムコード検索からＣＴＬ検索に置き換えて実施することにより、検索時間を短縮させることを可能にしたことを特徴とする磁気記録再生装置である。
【００１１】
以下、本発明の実施の形態について、図１から図４を参照しながら説明する。図１は本発明の実施の形態の磁気記録再生装置のブロック図を示し、図２〜図４はそれぞれ各部の流れ図を示す。
【００１２】
システムコントロール部１は、目標位置検索制御部２からの制御信号Ａに従い磁気記録再生装置の動作を制御するとともに、ＣＴＬデータＤを目標位置検索制御部２および目標位置演算部４に送信する。
【００１３】
目標位置検索制御部２は、検索動作のための制御信号Ａを、システムコントロール部１から入力されるＣＴＬデータＤと、目標位置演算部４から入力されるＣＴＬ検索値Ｇとを比較する図４の処理を実施することで決定し、システムコントロール部１に送信するための制御部である。
【００１４】
タイムコード制御部３は、記録媒体に記録されているタイムコードデータＢを読み出し、目標位置検査制御部２、標準記録時間演算部５および間欠記録時間演算部６に送信する。
【００１５】
目標位置演算部４は、標準記録時間演算部５から入力される標準記録時間値Ｆと、システムコントロール部１から入力されるＣＴＬデータＤとを演算することにより得られるＣＴＬ検索値Ｇ（図３のｆ値）を、目標位置検索制御部２に送信する働きを有する。
【００１６】
標準記録時間演算部５は、記録媒体に記録されているタイムコードデータＢと、外部から入力されたタイムコード検索位置データＣとにより、記録媒体の現在位置から検索位置までのタイムコード値の差を求め（図３のｃ値）、間欠記録時間演算部６より入力される間欠記録間隔値Ｅ（図２のａ値）と演算することで求めることのできる標準時間記録値Ｆ（図３のｄ値）を、目標位置演算部４に送信する働きを有する。
【００１７】
間欠記録時間演算部６は、図２の方法で記録媒体に記録されているタイムコードデータＢを読み出すことにより、間欠記録間隔値Ｅ（図２のａ値）を求め、標準記録時間演算部５に送信する働きを有する。
【００１８】
制御信号Ａは磁気記録再生装置の動作を制御するための制御信号であり、タイムコードデータＢは月日時分秒の含まれるタイムコードのデータであり、タイムコード検索位置データＣは月日および時分秒の含まれるタイムコードの検索位置データであり、ＣＴＬデータＤは、記録時に１／６０秒毎の垂直同期信号を利用して、記録媒体のコントロールトラックに記録されているデータである。
【００１９】
間欠記録間隔値Ｅは、再生中に１フレーム（２フィールド＝１フレーム）で進むタイムコードの値であり、ＮＴＳＣ方式の時、記録時間が２時間（６時間）の場合１となり、４８時間の場合、約２４（記録間隔＝０．８秒）となる。
【００２０】
標準記録時間値Ｆは、タイムコードデータＢと、タイムコード検索位置データＣにより得られるタイムコード値の差を、間欠記録間隔値Ｅと演算することで求まる、間欠記録されていない状態で記録した時のＢ〜Ｃ間の差である。ＣＴＬ検索値Ｇは、標準記録時間値Ｆと、ＣＴＬデータＤを演算することで得られる、タイムコード検索位置データＣをＣＴＬデータＤに置き換えた値である。
【００２１】
【発明の効果】
以上のように本発明によれば、記録媒体を再生させながら早送り／巻戻しを実施するのではなく早送り／巻戻しで検索が行えるため、１２０分テープの始端近辺から終端近辺までの検索を実施した場合、従来約１８分程度要した時間を、約２〜４分程度の時間で検索位置を探し出すことができるという有利な効果が得られる。
【図面の簡単な説明】
【図１】本発明の実施の形態の磁気記録再生装置のブロック図
【図２】本発明の実施の形態の磁気記録再生方法における部分流れ図
【図３】本発明の実施の形態の磁気記録再生方法における他の部分流れ図
【図４】本発明の実施の形態の磁気記録再生方法におけるさらに他の部分流れ図
【図５】従来の磁気記録再生装置のブロック図
【符号の説明】
１    システムコントロール部
２    目標位置検索制御部
３    タイムコード制御部
４    目標位置演算部
５    標準記録時間演算部
６    間欠記録時間演算部
Ａ    制御信号
Ｂ    タイムコードデータ
Ｃ    タイムコード検索位置データ
Ｄ    ＣＴＬカウンターデータ
Ｅ    間欠記録間隔値
Ｆ    標準記録時間値
Ｇ    ＣＴＬ検索値
ａ値  間欠記録間隔値
ｄ値  標準記録時間値
ｆ値  ＣＴＬ検索値
【図１】
0003587649.tif 000002
【図２】
0003587649.tif 000003
【図３】
0003587649.tif 000004
【図４】
0003587649.tif 000005
【図５】
0003587649.tif 000006